(57)【特許請求の範囲】
【請求項１】
燃料油を貯蔵するタンクの上部を覆う屋根において、屋根の両端下方に一対の屋根支承を設け、屋根支承から下方に一対の屋根支杆を設け、一対の屋根支杆をタンクの両側に固定し、屋根支承には屋根の前後方向ほぼ中央かつ屋根の直近に支点孔または仮想支点を設け、屋根は支点孔または仮想支点を中心にその前後が上下方向に回動しかつ固定可能とする燃料油タンクの傾斜自在屋根。
【請求項２】
屋根支承の上部に支点孔を設け、支点孔の下方で支点孔を中心とする円弧上に複数の傾斜固定孔を設け、屋根支承を支点孔といずれか一個の傾斜固定孔により屋根支杆に固定する請求項１記載の燃料油タンクの傾斜自在屋根。
【請求項３】
屋根支承の下部に支点孔を設け、支点孔の上方で支点孔を中心とする円弧上に複数の傾斜固定孔を設け、屋根支承を支点孔といずれか一個の傾斜固定孔により屋根支杆に固定する請求項１記載の燃料油タンクの傾斜自在屋根。
【発明の詳細な説明】
【０００１】
【発明の属する技術分野】
本発明は、寒冷地の家庭で使用される燃料油ストーブや暖房用ボイラー等の燃料油（主に白灯油）タンクで、屋外に設置する燃料油タンクの屋根に関する。
【０００２】
【従来の技術】
このような燃料油タンクの屋根は、実開昭５６−１２１６３２号に示されるように、タンクの両側に固定された屋根支杆によりタンクの上部をほぼ覆うように設けられ、タンク上面のゲージやエアー抜きまたは給油口を雨や積雪から保護し、それによる凍結や錆によるトラブルを防止するものである。
【０００３】
この種の従来の屋根は、タンクの設置場所の条件により、前記従来例のように前後方向に雨や雪が流れる両屋根のものと、実開昭６２−１３００３２号に示されるように前側にのみ雨や雪が流れる片屋根のものが用いられている。
【０００４】
なお、上記片屋根形の実開昭６２−１３００３２号に示されるものでは、給油作業の容易化のため屋根の後側を支点として上方に回動して開けられるようになっている。
【０００５】
【発明が解決しようとする課題】
上記のような両屋根と片屋根が別々の形状の屋根では、タンクの設置場所の条件を確認してから手配をしなければならず煩わしい。
【０００６】
また、両屋根と片屋根を兼用とするため屋根を傾斜自在とするのに、前記従来例のように屋根の後側を支点として回動したのでは、屋根が水平のときと傾斜したときのタンクの覆いかたが大きく変化し、雨や雪から保護する本来の目的を損なう虞がある。
【０００７】
そこで本発明は、両屋根と片屋根を兼用とするために屋根を傾斜自在とし、かつ屋根が水平のときと傾斜したときのタンクの覆いかたが大きく変わらない、燃料油タンクの傾斜自在屋根を提供することを目的とする。
【０００８】
【課題を解決するための手段】
請求項１の発明における燃料油タンクの傾斜自在屋根10は、燃料油を貯蔵するタンク１の上部を覆う屋根11において、屋根11の両端下方に一対の屋根支承13を設け、屋根支承13から下方に一対の屋根支杆12を設け、一対の屋根支杆12をタンク1の両側に固定し、屋根支承13には屋根11の前後方向ほぼ中央かつ屋根11の直近に支点孔13aまたは仮想支点13cを設け、屋根11は支点孔13aまたは仮想支点13cを中心にその前後が上下方向に回動しかつ固定可能とするものである。
【０００９】
請求項２の発明における燃料油タンクの傾斜自在屋根10は、屋根支承13の上部に支点孔13aを設け、支点孔13aの下方で支点孔13aを中心とする円弧上に複数の傾斜固定孔13bを設け、屋根支承13を支点孔13aといずれか一個の傾斜固定孔13bにより屋根支杆12に固定するものである。
【００１０】
請求項３の発明における燃料油タンクの傾斜自在屋根10は、屋根支承13の下部に支点孔13aを設け、支点孔13aの上方で支点孔13aを中心とする円弧上に複数の傾斜固定孔13bを設け、屋根支承13を支点孔13aといずれか一個の傾斜固定孔13bにより屋根支杆12に固定するものである。
【００１１】
【発明の実施の形態】
請求項１の発明では、屋根11の両端下方に一対の屋根支承13を設け、屋根支承13には屋根11の前後方向ほぼ中央かつ屋根11の直近に支点孔13aまたは仮想支点13cを設け、屋根11は支点孔13aまたは仮想支点13cを中心にその前後が上下方向に回動しかつ固定可能とするから、支点孔13aまたは仮想支点13cから屋根11の前後端までの距離がほぼ同じとなる。
【００１２】
請求項２の発明では、屋根支承13の上部に支点孔13aを設け、支点孔13aの下方で支点孔13aを中心とする円弧上に複数の傾斜固定孔13bを設け、屋根支承13を支点孔13aといずれか一個の傾斜固定孔13bにより屋根支杆12に固定するから、屋根11の傾斜を自在に変えて固定できる。
【００１３】
請求項３の発明では、屋根支承13の下部に支点孔13aを設け、支点孔13aの上方で支点孔13aを中心とする円弧上に複数の傾斜固定孔13bを設け、屋根支承13を支点孔13aといずれか一個の傾斜固定孔13bにより屋根支杆12に固定するから、屋根11の傾斜を自在に変えて固定できる。
【００１４】
【実施例】
以下、本発明の一実施例を図面を参照して説明する。
【００１５】
図１に示す燃料油を貯蔵するタンク１は、約５００リットルの灯油を貯蔵し屋外に設置される家庭用のもので、略立方体の形状をなしている。タンク１の両側に各２本、合計４本の脚２によりタンク１を支持し、側面視でタンク１は脚２の前後に膨らんでいる。
【００１６】
タンク１の上面には、タンク１内の燃料油の量を計測するゲージと、タンク１内外の圧力を一定に保つためのエアー抜きと、タンク１に給油するための給油口が設けられている。また、その下面にはバルブとストレーナーからなる送油口などが設けられている。脚２はその下端を束石により設置される地面に固定され、タンク１が地震などで転倒しないようにする。
【００１７】
なお、図３に示す正面図においてタンク１の左右方向端をその両側と称し、図１に示す側面図においてタンク１の左右方向をその前後方向と称し、ゲージ等を設けた側（図１における左側）を前側、その反対側を後側と称する。
【００１８】
傾斜自在屋根10は、燃料油を貯蔵するタンク１の上部を覆う屋根11と、傾斜自在屋根10をタンク１に取り付けるための一対の屋根支杆12と、屋根11と屋根支杆12を繋ぐ一対の屋根支承13からなる。なお、傾斜自在屋根10の前後方向などの呼称は前記タンク１の呼称にならう。
【００１９】
屋根11はその平面視では略長方形であり、タンク１の平面形状よりやや大きな形状としてタンク１を覆うようにし、その側面視では前後端が下方に折れ曲がっており雨や雪が流下しやすく、かつ強度が保たれるようになっている。
【００２０】
一対の屋根支承13は屋根11の両端下方に設けられる。屋根支承13の左右方向の位置は、タンク１の大きさにより一対の屋根支杆12の間隔が変えられるよう、調節自在に固定される。
【００２１】
屋根支承13はその側面視では上面が長い逆台形形状の板であり、屋根支承13の上部には屋根11の前後方向ほぼ中央に支点孔13aを設け、支点孔13aの下方で支点孔13aを中心とする円弧上に複数の傾斜固定孔13bを設ける。実施例では、支点孔13aの直下位置とその前後に各１０°の角度となる位置の３個の傾斜固定孔13bとした。
【００２２】
一対の屋根支杆12は屋根支承13から下方に設ける。屋根支杆12はその平面視ではＬ字形状であり、垂直方向に細長い形状であり、その下端部の正面方向にはタンク1に上下位置を調節自在に固定するための複数段の取り付け孔が設けられる。一対の屋根支杆12はその取り付け孔により、タンク1の両側でタンク1と脚２に挟まれるように固定される。
【００２３】
屋根支杆12の上端部の側面方向には、屋根支承13の支点孔13aと傾斜固定孔13bに対応する上下位置に取り付け孔が設けられる。屋根支承13の支点孔13aと傾斜固定孔13bはその取り付け孔にボルト14で固定され、屋根支承13はその支点孔13aを中心として傾斜固定孔13bに規制される所定位置に回動し、屋根支承13に取り付けられた屋根11は支点孔13aを中心にその前後が上下方向に回動する。
【００２４】
屋根支承13は支点孔13aといずれか一個の傾斜固定孔13bにより屋根支杆12にボルト14で固定可能とし、屋根11を水平とするときは支点孔13aの直下位置の傾斜固定孔13bを用い、屋根11を前側に低く傾斜させるときには前側の傾斜固定孔13bを用い、屋根11を後側に低く傾斜させるときには後側の傾斜固定孔13bを用いる。
【００２５】
以上により、屋根11の両端下方に一対の屋根支承13を設け、屋根支承13には屋根11の前後方向ほぼ中央かつ屋根11の直近に支点孔13aを設け、屋根11は支点孔13aを中心にその前後が上下方向に回動しかつ固定可能とし、支点孔13aから屋根11の前後端までの距離がほぼ同じとなるから、傾斜を変えてもタンクの覆いかたが大きく変わらず、雨や雪から確実に保護できる。
【００２６】
また、屋根支承13の上部に支点孔13aを設け、支点孔13aの下方で支点孔13aを中心とする円弧上に複数の傾斜固定孔13bを設け、屋根支承13を支点孔13aといずれか一個の傾斜固定孔13bにより屋根支杆12に固定し、屋根11の傾斜を自在に変えて固定できるから、屋根11を傾斜自在として両屋根と片屋根を兼用とし、タンク１の設置場所の条件を確認するなどの煩わしさがない。
【００２７】
次に、図８に示す第二実施例を説明する。
【００２８】
図８は別形状の屋根支承13を表すもので、支点孔13aと傾斜固定孔13bの上下位置が逆になっている。つまり、屋根支承13の下部には屋根11の前後方向ほぼ中央に支点孔13aを設け、支点孔13aの上方で支点孔13aを中心とする円弧上に複数の傾斜固定孔13bを設ける。本実施例では、支点孔13aの直上位置とその前後に各１０°の角度となる位置の３個の傾斜固定孔13bとした。
【００２９】
屋根支承13は支点孔13aといずれか一個の傾斜固定孔13bにより屋根支杆12にボルト14で固定可能とし、屋根11を水平とするときは支点孔13aの直上位置の傾斜固定孔13bを用い、屋根11を前側に低く傾斜させるときには後側の傾斜固定孔13bを用い、屋根11を後側に低く傾斜させるときには前側の傾斜固定孔13bを用いる。
【００３０】
以上により、屋根支承13の下部に支点孔13aを設け、支点孔13aの上方で支点孔13aを中心とする円弧上に複数の傾斜固定孔13bを設け、屋根支承13を支点孔13aといずれか一個の傾斜固定孔13bにより屋根支杆12に固定し、屋根11の傾斜を自在に変えて固定できるから、屋根11を傾斜自在として両屋根と片屋根を兼用とし、タンク１の設置場所の条件を確認するなどの煩わしさがない。
【００３１】
次に、図９に示す第三実施例を説明する。
【００３２】
図９はさらに別形状の屋根支承13を表すもので、支点孔13aを設けない場合の実施例である。つまり、屋根支承13の上下方向のほぼ中心には屋根11の前後方向ほぼ中央に仮想支点13cを設け、仮想支点13cの上下に仮想支点13cを中心とする点対称の円弧上に複数の傾斜固定孔13bを設ける。本実施例では、仮想支点13cの直上下位置とその前後に各２０°の角度となる位置の６個の傾斜固定孔13bとした。
【００３３】
屋根支承13は上下のいずれか二個の傾斜固定孔13bにより屋根支杆12にボルト14で固定可能とし、屋根11を水平とするときは仮想支点13cの直上下位置の傾斜固定孔13bを用い、屋根11を前側に低く傾斜させるときには上の後側と下の前側の傾斜固定孔13bを用い、屋根11を後側に低く傾斜させるときには上の前側と下の後側の傾斜固定孔13bを用いる。
【００３４】
以上により、屋根11の両端下方に一対の屋根支承13を設け、屋根支承13には屋根11の前後方向ほぼ中央かつ屋根11の直近に仮想支点13cを設け、屋根11は仮想支点13cを中心にその前後が上下方向に回動しかつ固定可能とし、仮想支点13cから屋根11の前後端までの距離がほぼ同じとなるから、傾斜を変えてもタンクの覆いかたが大きく変わらず、雨や雪から確実に保護できる。
【００３５】
以上の実施例では、傾斜固定孔13bが屋根支承13に支点孔13aと共に設けられた例を示したが、傾斜固定孔13bは必ずしも屋根支承13に設ける必要はなく、屋根11の傾斜を自在に固定する別な部材を屋根11と屋根支杆12の間に設けても良い。
【００３６】
また、傾斜固定孔13bが３個または６個の例を示したが、傾斜固定孔13bは２個でも４個以上としても良いし、円弧状の長孔としても良い。
【００３７】
【発明の効果】
請求項１の発明によれば、屋根の両端下方に一対の屋根支承を設け、屋根支承には屋根の前後方向ほぼ中央かつ屋根の直近に支点孔または仮想支点を設け、屋根は支点孔または仮想支点を中心にその前後が上下方向に回動しかつ固定可能とし、支点孔または仮想支点から屋根の前後端までの距離がほぼ同じとなるから、傾斜を変えてもタンクの覆いかたが大きく変わらず、雨や雪から確実に保護できる。
【００３８】
請求項２の発明によれば、屋根支承の上部に支点孔を設け、支点孔の下方で支点孔を中心とする円弧上に複数の傾斜固定孔を設け、屋根支承を支点孔といずれか一個の傾斜固定孔により屋根支杆に固定し、屋根の傾斜を自在に変えて固定できるから、屋根を傾斜自在として両屋根と片屋根を兼用とし、タンクの設置場所の条件を確認するなどの煩わしさがない。
【００３９】
請求項３の発明によれば、屋根支承の下部に支点孔を設け、支点孔の上方で支点孔を中心とする円弧上に複数の傾斜固定孔を設け、屋根支承を支点孔といずれか一個の傾斜固定孔により屋根支杆に固定し、屋根の傾斜を自在に変えて固定できるから、屋根を傾斜自在として両屋根と片屋根を兼用とし、タンクの設置場所の条件を確認するなどの煩わしさがない。
【図面の簡単な説明】
【図１】  燃料油タンクの傾斜自在屋根の一実施例を示す側面図である。
【図２】  その屋根の傾斜を変えた図である。
【図３】  図１の正面図である。
【図４】  図３の傾斜自在屋根のみを表す図である。
【図５】  図１の要部を示す部分拡大断面図である。
【図６】  図２の要部を示す部分拡大断面図である。
【図７】  図６の屋根支承のみを表す図である。
【図８】  図７の第二実施例を示す図である。
【図９】  図７の第三実施例を示す図である。
【符号の説明】
１  タンク
10  傾斜自在屋根
11  屋根
12  屋根支杆
13  屋根支承
13a  支点孔
13b  傾斜固定孔
13c  仮想支点
【図１】
0003686323.tif 000002
【図２】
0003686323.tif 000003
【図３】
0003686323.tif 000004
【図４】
0003686323.tif 000005
【図５】
0003686323.tif 000006
【図６】
0003686323.tif 000007
【図７】
0003686323.tif 000008
【図８】
0003686323.tif 000009
【図９】
0003686323.tif 000010